(57)【要約】      （修正有）【課題】別部材を着脱可能とすることにより、デザイン変更を可能としつつ、別部材を外したときにおいても、デザイン性の良好な履物を提供する。【解決手段】アッパー４の外周面の踵側に、ソケット６が外部に露出するように設けられ、脚を覆う履物の一部を構成するレッグ部材５がソケット６に着脱自在に取り付けられる。レッグ部材５を取り外したときにソケット６を隠すために、装飾部材がソケット６に取り付けられる【選択図】図２
0003157023.tif 000002
【実用新案登録請求の範囲】
【請求項１】
アッパーの外周面の踵側に、形態の異なる複数の付属部材の１つを装着するための取付具が外部に露出するように設けられ、付属部材として、脚を覆う履物の一部を構成するレッグ部材が取付具に着脱自在に取り付けられ、他の付属部材が、レッグ部材を取り外したときに取付具を隠すための装飾部材とされ、装飾部材は、レッグ部材の代わりに取付具に取り付けられることを特徴とするデザイン変更が可能な履物。
【請求項２】
アッパーの外周面の左右のサイド側に、形態の異なる複数の付属部材の１つを装着するための取付具が外部に露出するように設けられ、付属部材として、脚を覆う履物の一部を構成するレッグ部材が取付具に着脱自在に取り付けられ、他の付属部材が、レッグ部材を取り外したときに取付具を隠すための装飾部材とされ、装飾部材は、レッグ部材の代わりに取付具に取り付けられることを特徴とするデザイン変更が可能な履物。
【請求項３】
取付具は、複数のソケットとされ、複数のソケットが縦方向あるいは横方向に並べて配置され、付属部品に、ソケットに取り付けられるスタッドが設けられ、レッグ部材単独、装飾部材単独、あるいはレッグ部材と装飾部材との組み合わせのいずれかの装着が可能とされることを特徴とする請求項１または２記載のデザイン変更が可能な履物。
【考案の詳細な説明】
【技術分野】
【０００１】
本考案は、付属部材を付け替えることによりデザイン変更が可能な履物に関する。
【背景技術】
【０００２】
パンプスやサンダルなどの履物では、通常はデザインが固定的であり、パンプスはパンプスとしてのみ使用される。そこで、異なるデザインとなるように、履物に着脱自在に装着される装飾部品が特許文献１に記載されている。
【０００３】
また、デザインを変えることにより、異なる用途の履物として使用できるものが、特許文献２に記載されている。特許文献２の履物では、シューズに、足首を覆う足首覆い部が着脱自在に取り付けられる。
【特許文献１】特開２００５−７３７７９号公報
【特許文献２】登録実用新案第３０６３８７０号公報
【考案の開示】
【考案が解決しようとする課題】
【０００４】
履物に対して着脱可能な別部材を用いることにより、別部材を装着したときと取り外したときとでは、デザインを変えることができる。履物を目的に応じて使い分けることができる。ここで、別部材はホックあるいは面ファスナーによって履物のアッパーに装着されている。別部材を取り外したとき、アッパーには、ホック等が外部に露出し、見た目が悪くなり、デザイン的に好ましくない。
【０００５】
そこで、本考案は、上記に鑑み、別部材を着脱可能とすることにより、デザイン変更を可能としつつ、別部材を外したときにおいても、デザイン性の良好な履物の提供を目的とする。
【課題を解決するための手段】
【０００６】
本考案は、アッパーの外周面の踵側あるいは左右のサイド側に、形態の異なる複数の付属部材の１つを装着するための取付具が外部に露出するように設けられ、付属部材として、脚を覆う履物の一部を構成するレッグ部材が取付具に着脱自在に取り付けられるものである。他の付属部材が、レッグ部材を取り外したときに取付具を隠すための装飾部材とされ、装飾部材は、レッグ部材の代わりに取付具に取り付けられる。
【０００７】
レッグ部材を外したときの履物のデザインと、レッグ部材を装着したときの履物のデザインとは異なる。そして、装飾部材は、外部に露出する取付具の目隠しとして機能する。装飾部材を装着したときの履物は、さらに異なるデザインと異なる。
【０００８】
取付具は、複数のソケットとされ、複数のソケットが縦方向あるいは横方向に並べて配置され、付属部品に、ソケットに取り付けられるスタッドが設けられる。レッグ部材単独、装飾部材単独、あるいはレッグ部材と装飾部材とを組み合わせのいずれかの装着が可能とされる。ユーザは、ソケットにスタッドを嵌めたり、ソケットからスタッドを抜いたりするだけで、簡単に付属部材を着脱できる。これにより、付属部品が変わることにより、多様なパターンのデザインが創出される。
【考案の効果】
【０００９】
本考案によると、レッグ部材を装着したり、装飾部材を装着することにより、使用する状況に応じて履物のデザインを容易に変更することができる。また、装着する付属部品を変化させることにより、多様なパターンのデザインを創出することができる。
【考案を実施するための最良の形態】
【００１０】
本実施形態のデザイン変更が可能な履物を図１に示す。この履物は、パンプスであり、ヒール１付きのソール２と、履口３が形成されたアッパー４とから構成される。そして、履物の付属部材として、脚を覆うレッグ部材５を備えている。レッグ部材５は、アッパー４に着脱可能とされる。
【００１１】
図２に示すように、レッグ部材５のアッパー４への装着はスナップが用いられる。スナップは、ソケット６と、これに嵌められるスタッド７とによって構成される。アッパー４に、レッグ部材５を装着するための取付具としてソケット６が設けられている。レッグ部材５に、スタッド７が設けられる。
【００１２】
ソケット６は、アッパー４の外周面の踵側に取り付けられる。２つのソケット６が縦方向に一列に並べて配置される。ソケット６は、外部に露出している。
【００１３】
レッグ部材５は、足首を囲むように筒状の形態を有する。レッグ部材５は、幅広の帯からなり、帯の両端に面ファスナーが取り付けられる。帯を巻くことにより、筒状のレッグ部材５が形成される。
【００１４】
レッグ部材５の踵側に、スタッド７が設けられる。レッグ部材５に細長いシート材８が取り付けられ、シート材８は、レッグ部材５よりも下側にはみ出している。シート材８に２つのスタッド７が縦一列に並べて取り付けられる。
【００１５】
ここで、アッパー４の素材は、本皮、合成皮革、合成樹脂、合成繊維、天然繊維などとされ、レッグ部材５もアッパー４と同素材とされる。また、アッパー４に模様、絵柄等が施されている場合、レッグ部材５にも同様の模様、絵柄を施しておくとよい。なお、レッグ部材５の素材がアッパー４と異なるものであってもよい。
【００１６】
本履物はパンプスであるが、レッグ部材５のスタッド７をアッパー５のソケット６に嵌めると、レッグ部材５がアッパー４と一体化され、脚を覆う履物となり、履物のデザインが変わる。このように、アッパー４にレッグ部材５を装着することにより、履物のデザインを変えることができる。ユーザは、目的や好みに応じてレッグ部材５を装着したり、取り外したりして、履物を使用すればよい。
【００１７】
ところで、レッグ部材５が外されているとき、アッパー４のソケット６が外部に露出する。そこで、他の付属部材として、図３に示すように、装飾部材９が用意される。装飾部材９は、シート材１０の外面側に装飾品１１が取り付けられたものであり、アッパー４に着脱可能とされる。シート材１０の内面側に、２つのスタッド７が取り付けられている。装飾部材９はアッパー４の踵側に装着され、履物の装飾品となる。このように、履物に装飾部材９を装着することにより、履物のデザインを変えることができ、しかもレッグ部材５を取り外したときに露出するソケット６を隠すことができ、見栄えをよくすることができる。
【００１８】
装飾部材９として、図４に示すように、多様な形態のものを使用できる。例えば、装飾品１１が、星型、ピラミッド型、リボン、花びらといったものとされ、ユーザが自由に選択できるように、多種類の装飾部材９が用意される。
【００１９】
他の形態のレッグ部材５を図５に示す。レッグ部材５は、丈の長い筒状とされる。レッグ部材５の踵側に、スタッド７がシート材８を介して縦一列に並べて取り付けられる。このレッグ部材５を装着することにより、ひざからくるぶしまで覆うことができ、ブーツと同様の履物にデザインを変更できる。
【００２０】
なお、レッグ部材５の丈を下方に向けて長くしてもよい。例えば、レッグ部材５の下端がヒール１に達するような、レッグ部材５の丈とする。レッグ部材５によって、アッパー４だけでなく、ヒール１の一部も隠すことができ、異なったデザインの履物にすることができる。
【００２１】
また、図６に示すように、スナップを左右の両サイドに設けてもよい。アッパー４の外周面の左右のサイド側に、ソケット６がそれぞれ設けられる。レッグ部材５の左右両側に、シート材８を介してスタッド７が設けられる。レッグ部材５の代わりに、アッパー４の左右の両サイドに、装飾部材９を装着することにより、デザインの変わった履物とすることができる。
【００２２】
さらに、図７に示すように、ソケット６の配列を横一列にしてもよい。これに応じて、レッグ部材５のスタッド７も横一列に配置される。また、ソケット６を３つ以上としてもよく、その配列も縦横一列に限らず、三角形、四角形、ひし形といったように、数に応じて並べ替えてもよい。複数のソケット６を履口３の周囲に配置してもよい。例えば、アッパー４の左右のサイドから踵側にかけて配置する。
【００２３】
複数のソケット６にすることにより、レッグ部材５を装着するとともに、装飾部材９も同時に装着することが可能となる。また、レッグ部材５に直接装飾部材９を装着してもよい。したがって、レッグ部材５と装飾部材９とを組み合わせて装着することにより、より一層多様なデザインを創出することができる。
【００２４】
装飾部材９において、装飾品１１をシート材１０に対して着脱可能としてもよい。装飾品１１が、シート材１０に対してスナップあるいは面ファスナーにより着脱自在とされる。ユーザが装飾品１１を交換することにより、オリジナルの装飾部材９を作ることができ、お気に入りのデザインの履物を実現できる。
【００２５】
レッグ部材５のスタッド７をレッグ部材５の内面側に設けてもよい。スタッド７が外部に露出しないので、レッグ部材５のデザインを損なわず、レッグ部材５のデザインの自由度を増すことができる。
【００２６】
なお、本考案は、上記実施形態に限定されるものではなく、本考案の範囲内で上記実施形態に多くの修正および変更を加え得ることは勿論である。上記の履物は、パンプスであるが、サンダル、スニーカに上記の付属部材を装着してもよく、婦人靴、紳士靴、子供靴を問わず、付属部材を装着することができる。
【図面の簡単な説明】
【００２７】
【図１】本考案のデザイン変更が可能な履物を示す図
【図２】レッグ部材を取り外した状態の履物を後ろから見た図
【図３】装飾部材を装着した状態の履物を後ろから見た図
【図４】異なる形態の装飾部材を示す図
【図５】他の形態のレッグ部材を装着した状態の履物を示す図
【図６】他の形態のレッグ部材を装着した状態の履物を示す図
【図７】スナップの配列を変えた履物およびレッグ部材を後から見た図
【符号の説明】
【００２８】
４    アッパー
５    レッグ部材
６    ソケット
７    スタッド
９    装飾部材
１１    装飾品
【図１】
0003157023.tif 000003
【図２】
0003157023.tif 000004
【図３】
0003157023.tif 000005
【図４】
0003157023.tif 000006
【図５】
0003157023.tif 000007
【図６】
0003157023.tif 000008
【図７】
0003157023.tif 000009